(57)【特許請求の範囲】
【請求項１】
リールに巻かれた被乾燥体であるＴＡＢテープを収納する乾燥室と、
前記乾燥室内の空気を加熱する加熱手段と、
前記加熱手段により加熱された加熱空気を乾燥室内で一方向に循環させる循環装置と、
前記リールに巻かれたＴＡＢテープを、前記循環装置により循環される加熱空気の循環方向に対して、リールの軸方向が平行になるように乾燥室内に配置するリール架台とを備え、
前記リール架台には、
リールを載置するリール載置部と、
前記リール載置部に載置されたリールの部分に対応した開口部と、
前記開口部以外の乾燥室部分を遮蔽する遮蔽壁部とを備えており、
前記循環装置により循環される加熱空気が、このリールの部分と開口部を介してのみ循環することにより、リールに巻かれたＴＡＢテープを均一に加熱乾燥するように構成したことを特徴とするＴＡＢテープの乾燥装置。
【請求項２】
前記リール架台には、複数のリール載置部とこれに対応した開口部が設けられていることを特徴とする請求項１に記載のＴＡＢテープの乾燥装置。
【請求項３】
複数個のリール架台が、前記乾燥室内に加熱空気の循環方向に配置されていることを特徴とする請求項１または２のいずれかに記載のＴＡＢテープの乾燥装置。
【請求項４】
前記リール架台が、乾燥室から取り外し可能に構成されていることを特徴とする請求項１から３のいずれかに記載のＴＡＢテープの乾燥装置。
【請求項５】
ＴＡＢテープが巻かれたリールを載置するリール載置部と、
前記リール載置部に載置されたリールの部分に対応した乾燥装置の乾燥室内を循環する空気が流通する開口部と、
前記開口部以外の乾燥装置の乾燥室部分を遮蔽する遮蔽壁部とを備えることを特徴とするＴＡＢテープの乾燥装置用リール架台。
【請求項６】
前記リール架台には、複数のリール載置部とこれに対応した開口部が設けられていることを特徴とする請求項５に記載のＴＡＢテープの乾燥装置用リール架台。
【請求項７】
前記リール架台が、前記乾燥室内に加熱空気の循環方向に連接配置されていることを特徴とする請求項５または６のいずれかに記載のＴＡＢテープの乾燥装置用リール架台。
【発明の詳細な説明】
【０００１】
【発明の属する技術分野】
本発明は、電子部品実装用フィルムキャリアテープ（ＴＡＢ（Tape Automated Bonding）テープ）（以下、単に「ＴＡＢテープ」と言う。）の乾燥装置に関する。
【０００２】
【従来の技術】
エレクトロニクス産業の発達に伴い、ＩＣ（集積回路）、ＬＳＩ（大規模集積回路）などの電子部品を実装するプリント配線板の需要が急激に増加しているが、電子機器の小型化、軽量化、高機能化が要望され、これら電子部品の実装方法として、最近ではＴＡＢテープを用いた実装方式が採用されており、特に、パーソナルコンピュータなどのように高精細化、薄型化、液晶画面の額縁面積の狭小化が要望されている液晶表示素子（ＬＣＤ）を使用する電子産業においてその重要性が高まっている。
【０００３】
従来より、このようなＴＡＢテープを製造する方法としては、下記のような行程を経て製造されている。
すなわち、先ず、ポリイミドフィルムのような基材となる絶縁フィルムをプレス機でパターン打ち抜きを行った後、この絶縁フィルムに接着剤を介して銅箔を熱圧着により貼着する。そして、この銅箔の上面にフォトレジストを全面に塗布して、このフォトレジストをフォトレジストマスクを使用して所望のパターン形状に紫外線により露光し、この露光されたフォトレジスト部分を現像液によって溶解除去する。このフォトレジストで覆われていない銅箔部分を、酸で化学的に溶解（エッチング）して除去するとともに、フォトレジストをアルカリ液にて溶解除去することによって絶縁フィルム上に残った銅箔により所望の配線パターンを形成する。
【０００４】
そして、実装時のゴミやウィスカー、マイグレーションによる短絡を防止し、配線間の保護並びに絶縁のために、配線パターンのうち、ＩＣなどのデバイス（電子部品）に接続されるインナーリードおよび液晶表示素子などに接続されるアウターリードなどのリード部分を除いて、絶縁樹脂であるソルダーレジストを、スクリーン印刷法によりスキージを用いて塗布パターンの形成されたスクリーンを介して塗布した後、乾燥、硬化させてソルダーレジスト被覆層を形成している。
【０００５】
その後、露出したリード部分の酸化、変色を防止するとともに、リード部分に接続されるデバイスのバンプなどの接続部分との接着強度を確保するために、リード部分を、例えば、スズメッキ、金メッキ、スズ−鉛の共晶合金メッキなどを施すことにより製造されている。
【０００６】
【発明が解決しようとする課題】
ところで、このようなＴＡＢテープの製造において、例えば、エッチング工程、ソルダーレジスト塗布工程、メッキ処理工程などの種々の液処理工程において、ＴＡＢテープを処理液で処理した後に、スペーサ繰出しリールからエンボス加工された長尺上のスペーサ部材を処理面に介装して、ＴＡＢテープを巻き取りリールによって巻き取った後に、リールごと乾燥装置の乾燥室内に搬送して、熱風乾燥などにより乾燥、あるいは凝固反応を行うことが行われている。
【０００７】
このような乾燥装置としては、従来より、図９に示したような乾燥装置が用いられている。
すなわち、この乾燥装置２００では、リール２０２に巻かれた被乾燥体であるＴＡＢテープ２０４が、複数個のリール架台２０６に載置されて乾燥室２０８内に収納される。そして、外部の空気を乾燥室２０８内と連結した給気手段２１０を介して、乾燥室２０８内に導入するとともに、導入された空気を加熱手段２１２によって加熱している。加熱された加熱空気をブロワーなどの循環装置２１４によって、乾燥室２０８内で、加熱空気の循環方向に対して、リールの軸方向が平行になるよう一方向に循環させ、これによって、ＴＡＢテープ２０４を乾燥するように構成されている。
【０００８】
しかしながら、このような従来の乾燥装置では、乾燥室２０８内で循環する加熱空気が、図９の矢印で示したように、乾燥室２０８内にて、乱流が生じてしまい、リール２０２に巻かれたＴＡＢテープに均一に接触しない。そのため、ＴＡＢテープが均一に加熱されず、乾燥されないことになる。
そのため、例えば、ソルダーレジストを乾燥硬化する場合には、ソルダーレジストの溶剤が均一に乾燥しない状態となる。そのため、ソルダーレジストの溶剤が揮発しない状態で温度が上昇した際に、一時的にソルダーレジストの粘度が低下することになる。
【０００９】
そして、粘度の低下したソルダーレジスト２０２は、図１０に示したように、レジスト端部２０３の形状が崩れてリード部分２０４に沿って流れ出してしまったり（２０６）、図１１に示したように、リード２０４の間を毛細管現象によりソルダーレジストが伝わっていくことになる（２０８）。ところで、リード間隔は、２５〜５０μｍが一般的であるが、ファインピッチ化が進むなか、２５μｍ、場合によっては、それ以下へ進みつつあり、このような現象は、リード間隔が狭くなるにしたがって顕著になる傾向がある。
【００１０】
このようなソルダーレジスト端部の流れだしによって、ソルダーレジストの塗布パターン（位置）の精度が悪くなり、リード部分が絶縁されることになり、デバイスの接続が良好でなくなることになる。また、リード２０４上に薄く広がったソルダーレジスト部分２０６が、図１２に示したように、次行程の無電解スズメッキなどのメッキ行程で、メッキ液の浸食を受けて、ソルダーレジストが剥がれることになり（２１０）、場合によっては、メッキ液に配線パターンが浸食されて破断することにもなる。さらに、ソルダーレジストが剥がれるまでに至らない場合であっても、図１３に示したように、リード２０４とソルダーレジスト２０２との間に僅かに空隙が生じて、この空隙に滞留する無電解スズメッキ液によって、ＳｎとＣｕとの置換反応が生じて、銅箔リードがえぐり取られることになり（２１２）、機械的強度が低下して接触不良などを起こす原因ともなっていた。
【００１１】
また、その他のエッチング工程、メッキ処理工程などの種々の液処理工程においても、ＴＡＢテープを処理液で処理した後に、乾燥、あるいは凝固反応を行う際にも、このような不均一な乾燥、凝固反応によって、ＴＡＢテープの品質に好ましくない影響を及ぼすことになっていた。
従って、本発明の目的とするところは、ＴＡＢテープの製造において、エッチング工程、ソルダーレジスト塗布工程、メッキ処理工程などの種々の工程において、液処理の後に、リールにスペーサ部材を介装して巻き取られたＴＡＢテープを均一に乾燥することの可能な乾燥装置を提供することを目的とする。
【００１２】
【課題を解決するための手段】
本発明は、前述したような従来技術における課題及び目的を達成するために発明なされたものであって、本発明のＴＡＢテープの乾燥装置は、リールに巻かれた被乾燥体であるＴＡＢテープを収納する乾燥室と、
前記乾燥室内の空気を加熱する加熱手段と、
前記加熱手段により加熱された加熱空気を乾燥室内で一方向に循環させる循環装置と、
前記リールに巻かれたＴＡＢテープを、前記循環装置により循環される加熱空気の循環方向に対して、リールの軸方向が平行になるように乾燥室内に配置するリール架台とを備え、
前記リール架台には、
リールを載置するリール載置部と、
前記リール載置部に載置されたリールの部分に対応した開口部と、
前記開口部以外の乾燥室部分を遮蔽する遮蔽壁部とを備えており、
前記循環装置により循環される加熱空気が、このリールの部分と開口部を介してのみ循環することにより、リールに巻かれたＴＡＢテープを均一に加熱乾燥するように構成したことを特徴とする。
【００１３】
このように構成することによって、乾燥室内で循環する加熱空気が、乾燥室内にて、乱流が生じずに、リールの部分と開口部を介してのみ循環することになり、均一にリールに巻かれたＴＡＢテープに接触して、ＴＡＢテープが均一に加熱され、乾燥される。従って、このような乾燥装置によれば、乾燥、硬化時間が短くてすみ、全体として工程時間の短縮化が可能で、効率が極めて良好となる。
【００１４】
また、このような乾燥装置を、例えば、エッチング工程、ソルダーレジスト塗布工程、メッキ処理工程などの種々の液処理工程後の乾燥、凝固に用いることによって、ＴＡＢテープを均一に乾燥することができ、ソルダーレジストの流れ出し、メッキ液の乾燥不良などによるＴＡＢテープの品質不良を防止することが可能となる。
【００１５】
また、本発明のＴＡＢテープの乾燥装置では、前記リール架台には、複数のリール載置部とこれに対応した開口部が設けられていることを特徴とする。
これによって、リールに巻かれたＴＡＢテープを、一度に複数個リール架台に載置して乾燥室内で同時に均一に乾燥することができるので、より生産効率を向上することが可能となる。
【００１６】
さらに、本発明のＴＡＢテープの乾燥装置では、複数個のリール架台が、前記乾燥室内に加熱空気の循環方向に配置されていることを特徴とする。
このようにすれば、リールに巻かれたＴＡＢテープをリール架台に載置して乾燥室内で、複数個、同時に均一に乾燥することができるので、さらに生産効率を向上することが可能となる。
【００１７】
また、本発明のＴＡＢテープの乾燥装置では、前記リール架台が、乾燥室から取り外し可能に構成されていることを特徴とする。
このように構成することによって、乾燥室の外で、ＴＡＢテープが巻かれたリールをリール架台に載置した後に、これを乾燥室内に搬入することができ、また、乾燥後にも、リール架台ごと取り出せば、リールを取り外す作業を乾燥室外部で可能となる。従って、作業性が向上するとともに、乾燥室内部に残留する乾燥温度や揮発成分などに影響されることなく、作業員によりまたは積み卸し装置を用いて自動的に、リールの積み卸し作業が可能となる。
【００１８】
さらに、本発明のＴＡＢテープ乾燥装置用リール架台は、上述したようなＴＡＢテープの乾燥装置に好適に用いられるものであって、ＴＡＢテープが巻かれたリールを載置するリール載置部と、
前記リール載置部に載置されたリールの部分に対応した乾燥装置の乾燥室内を循環する空気が流通する開口部と、
前記開口部以外の乾燥装置の乾燥室部分を遮蔽する遮蔽壁部とを備えることを特徴とする。
【００１９】
このようなリール架台にＴＡＢテープが巻かれたリールを載置して、乾燥装置の乾燥室内に配置することによって、乾燥室内で循環する加熱空気が、乾燥室内にて、乱流が生じずに、リールの部分と開口部を介してのみ循環することになり、均一にリールに巻かれたＴＡＢテープに接触して、ＴＡＢテープが均一に加熱され、乾燥される。従って、このようなリール架台を用いることによって、乾燥装置の乾燥、硬化時間が短くてすみ、全体として工程時間の短縮化が可能で、効率が極めて良好となる。
【００２０】
また、このようなリール架台を用いた乾燥装置を、例えば、エッチング工程、ソルダーレジスト塗布工程、メッキ処理工程などの種々の液処理工程後の乾燥、凝固に用いることによって、ＴＡＢテープを均一に乾燥することができ、ソルダーレジストの流れ出し、メッキ液の乾燥不良などによるＴＡＢテープの品質不良を防止することが可能となる。
【００２１】
また、本発明のＴＡＢテープの乾燥装置用リール架台では、前記リール架台には、複数のリール載置部とこれに対応した開口部が設けられていることを特徴とする。
これによって、リールに巻かれたＴＡＢテープを、一度に複数個リール架台に載置して乾燥室内で同時に均一に乾燥することができるので、より生産効率を向上することが可能となる。
【００２２】
また、本発明のＴＡＢテープの乾燥装置用リール架台では、前記リール架台が、前記乾燥室内に加熱空気の循環方向に連接配置されていることを特徴とする。このようにすれば、リールに巻かれたＴＡＢテープをリール架台に載置して乾燥室内で、複数個、同時に均一に乾燥することができるので、さらに生産効率を向上することが可能となる。
【００２３】
【発明の実施の形態】
以下、図面を参照しながら本発明の実施の形態（実施例）について説明する。図１は、本発明のＴＡＢテープの乾燥装置用リール架台の正面図、図２は、本発明のＴＡＢテープの乾燥装置用リール架台の側面図、図３は、本発明のＴＡＢテープの乾燥装置用リール架台の使用状態を説明する斜視図、図４は、本発明のＴＡＢテープの乾燥装置の断面図、図５は、本発明のＴＡＢテープの乾燥装置の部分切欠斜視図である。
【００２４】
図１〜図３に示したように、本発明のＴＡＢテープの乾燥装置用リール架台１０（以下、単に「リール架台」と言う。）は、一対の略矩形状の前方遮蔽壁部材１２と後方遮蔽壁部材１４とを備えており、これらの遮蔽壁部材１２、１４には、その中央部にそれぞれ、円形状の前方開口部１６と後方開口部１８を備えている。
【００２５】
なお、これらの遮蔽壁部材１２、１４は、後述するように、乾燥装置４０の乾燥室４２の循環方向Ａに対して直角な断面と略一致する形状となっている。
また、これらの開口部１６、１８は、ＴＡＢテープＴが巻かれたリールＲの寸法と略同一の形状となっている。
また、これらの前方開口部１６と後方開口部１８を連結するように、円筒形状の通風筒部２０が形成されている。前方開口部１６には、前方開口部１６を四分割するように形成された４本の支持棒部材２２が、前方遮蔽壁部材１２の前方開口部１６の内周から延設されており、これらの支持棒部材２２が、前方開口部１６の中心で中央当接板２４で結合されている。これらの支持棒部材２２と中央当接板２４は、図３に示したように、ＴＡＢテープＴが巻かれたリールＲを、後述するリール載置部２６に載置した際に、リールＲを支持するためのものである。
【００２６】
さらに、前方開口部１６の内周に沿って前方開口部１６の下方部分に位置するように、図３に示したように、ＴＡＢテープＴが巻かれたリールＲを載置するための二つのリール載置部２６が、前方遮蔽壁部材１２に固着されている。こられのリール載置部２６は、略三角柱状の前方開口部１６の内周に沿った形状のリール載置台２８とこのリール載置台２８を支持する支持フレーム３０とを有している。この支持フレーム３０は、前方遮蔽壁部材１２と後方遮蔽壁部材１４とを貫通して補強する貫通部３２を有している。
【００２７】
なお、図中３４は、遮蔽壁部材１２、１４を、一定間隔に保持し補強するための結合部材である。
このように構成されリール架台１０では、図３に示したように、ＴＡＢテープＴが巻かれたリールＲを、二つのリール載置部２６のリール載置台２８上に載せるとともに、リールＲの側部が支持棒部材２２と中央当接板２４に当接支持されるようにして、リールＲがリール架台１０に載置される。
【００２８】
次に、このように構成されるリール架台１０を用いた本発明のＴＡＢテープの乾燥装置について、図４および図５に基づいて説明する。
図４および図５において、４０は、本発明のＴＡＢテープの乾燥装置（以下、単に「乾燥装置」と言う。）を示している。
乾燥装置４０は、リールＲに巻かれた被乾燥体であるＴＡＢテープＴを収納する乾燥室４２を有している。この乾燥室の前部壁４１には、図示しないが、リールＲに巻かれたＴＡＢテープＴを出し入れするための開閉扉が備えられている。
【００２９】
この乾燥室４２の上部には、隔壁４４を隔てて、駆動制御部４６が形成されている。駆動制御部４６には、乾燥装置４０の上部に、乾燥装置４０の外部の新鮮な空気を、乾燥室４２内に取り入れるための給気配管４８と、乾燥室４２内で乾燥の際に、被乾燥体であるＴＡＢテープから発生する揮発した溶剤成分などを乾燥装置４０の外部に排出する排気管５０が備えられている。
【００３０】
なお、図示しないが、これらの給気配管４８、排気管５０には、フィルターを設けて、クリーンな空気のみを給排気できるようにするのがＴＡＢテープの品質管理上からは好ましい。
また、駆動制御部４６には、給気配管４８からの新鮮な空気を取り入れ、空気を乾燥室４２内を循環するようにするための、例えば、ブロワー、ファンなどの循環装置５２と、循環装置５２によって循環する空気を加熱するための、例えば、シーズヒータなどの加熱装置５４を備えている。
【００３１】
さらに、隔壁４４には、循環装置５２、加熱装置５４を通過した加熱された空気を乾燥室４２内に送る通風孔５６と、乾燥室４２内を通過した空気を駆動制御部４６に還流する吸気孔５８とが形成されている。なお、図示しないが、これらの通風孔５６と吸気孔５８とには、フィルターを設けて、クリーンな空気のみを給排気できるようにするのがＴＡＢテープの品質管理上からは好ましい。
【００３２】
この吸気孔５８には、切替弁６０が設けられており、図示しない制御装置によって制御されて、乾燥室４２内を通過した空気が、循環装置５２へと還流する還流経路６２と、排気管５０から乾燥装置４０の外部へと排出する排出経路６４のいずれかに流れるように選択的に切り替えできるようになっている。
この切り替え制御は、図示しない乾燥室４２内に設置したセンサーなどの検知装置によって、乾燥室４２内部の、例えば、ＴＡＢテープから揮発した溶剤成分濃度が、一定レベル以上になると切り替えて、排気管５０から乾燥装置４０の外部へと排出するとともに、図示しないが、給気配管４８に設けられた開閉弁を開放して、乾燥装置４０の外部の新鮮な空気を、乾燥室４２内に取り入れるように構成されている。
【００３３】
一方、乾燥室４２内には、リール架台１０が、その遮蔽壁部材１２、１４が、乾燥装置４０の乾燥室４２の循環方向Ａに対して直角な断面に一致するように配置されている。
そして、前述したように、ＴＡＢテープＴが巻かれたリールＲが、二つのリール載置部２６のリール載置台２８上に載せるとともに、リールＲの側部が支持棒部材２２と中央当接板２４に当接支持されるようにして、リールＲがリール架台１０に載置されている。
【００３４】
このように構成される本発明の乾燥装置４０では、以下のようにして、リールＲに巻かれたＴＡＢテープＴの、例えば、ソルダーレジストなどの乾燥が実施される。
先ず、乾燥室４２内には、リール架台１０が、その遮蔽壁部材１２、１４が、乾燥装置４０の乾燥室４２の循環方向Ａに対して直角な断面に一致するように予め配置されており、これにＴＡＢテープＴが巻かれたリールＲをリール載置部２６に載置する。
【００３５】
そして、駆動制御部４６を作動させて、乾燥室４２内の空気が、循環装置５２の駆動によって、吸気孔５８を介して、切替弁６０を制御することによって、循環装置５２へと還流経路６２を通過して還流される。そして、加熱装置５４を通過することによって所定の設定された温度に加熱され、通風孔５６を介して乾燥室４２内に送られる。
【００３６】
乾燥室４２内に送られた加熱空気は、図４および図５の矢印で示したように、リールＲに巻かれたＴＡＢテープＴを通過して、リール架台１０の前方遮蔽壁部材１２の前方開口部から、通風筒部２０を通過して、後方遮蔽壁部材１４の後方開口部１８へと流れ、吸気孔５８を介して循環装置５２へと再び還流するようになっている。
【００３７】
この際、前方遮蔽壁部材１２の前方開口部１６以外の部分が遮蔽壁部として機能することによって、乾燥室４２内は遮蔽されており、これによって循環される加熱空気が、リールＲの部分と開口部１６を介してのみ循環することになる。従って、乾燥室内４２では、乱流が生じずに、均一にリールＲに巻かれたＴＡＢテープＴに接触して、ＴＡＢテープＴが均一に加熱され、乾燥される。
【００３８】
また、図示しない乾燥室４２内に設置したセンサーなどの検知装置によって、乾燥室４２内部の、例えば、ＴＡＢテープから揮発した溶剤成分濃度が、一定レベル以上になると、切替弁６０が、図示しない制御装置によって切り替えられて、乾燥室４２内の空気が、矢印Ｑで示したように、排気管５０から乾燥装置４０の外部へと排出される。これと同時に、図示しないが、給気配管４８に設けられた開閉弁を開放して、矢印Ｐで示したように、乾燥装置４０の外部の新鮮な空気を、乾燥室４２内に取り入れるようになっている。
【００３９】
なお、この際、ＴＡＢテープの乾燥する溶剤などの種類に応じて、排気管５０から排出される空気量と、給気配管４８を介して取り入れられる外部の新鮮な空気量を調整することによって、内部の圧力を減圧とて溶剤の揮発を促進することもできる。
従って、このような乾燥装置４０によれば、乾燥、硬化時間が短くてすみ、全体として工程時間の短縮化が可能で、効率が極めて良好となる。
【００４０】
また、このような乾燥装置４０を、例えば、エッチング工程、ソルダーレジスト塗布工程、メッキ処理工程などの種々の液処理工程後の乾燥、凝固に用いることによって、ＴＡＢテープを均一に乾燥することができ、ソルダーレジストの流れ出し、メッキ液の乾燥不良などによるＴＡＢテープの品質不良を防止することが可能となる。
【００４１】
なお、上記実施例では、乾燥室４２内には、リール架台１０が、その遮蔽壁部材１２、１４が、乾燥装置４０の乾燥室４２の循環方向Ａに対して直角な断面に一致するように予め配置されており、これにＴＡＢテープＴが巻かれたリールＲをリール載置部２６に載置するようにしたが、リール架台１０を乾燥装置４０の乾燥室４２内に取り外し可能に配置して、リール載置部２６にＴＡＢテープＴが巻かれたリールＲが予め載置されたリール架台１０を直接、乾燥装置４０の乾燥室４２内に出し入れすることも可能である。
【００４２】
図６は、本発明のＴＡＢテープの乾燥装置用リール架台の第２の実施例の斜視図、図７は、本発明のＴＡＢテープの乾燥装置用リール架台の使用状態を説明する斜視図である。
この実施例は、基本的には、前述した第１の実施例と同様あるので、同じ構成部材には同じ参照番号を付してその詳細な説明を省略する。
【００４３】
この実施例のリール架台１０では、二つのＴＡＢテープＴが巻かれたリールＲを同時に取り扱うことができるように、前方遮蔽壁部材１２と後方遮蔽壁部材１４とに二つの前方開口部１６と、後方開口部１８と、通風筒部２０とを設けるとともに、これに対応して二つのリール載置部２６を設けてある点が相違する。
なお、この実施例では、これらの開口部１６などを２個設けたが、この数は、特に限定されるものではなく、複数個であれば、横方向にも縦方向にも設けることが可能である。
【００４４】
このようなリール架台を用いることによって、リールＲに巻かれたＴＡＢテープＴを、一度に複数個リール架台に載置して乾燥室内で同時に均一に乾燥することができるので、より生産効率を向上することが可能となる。
図８は、本発明のＴＡＢテープの乾燥装置用リール架台を用いた本発明のＴＡＢテープの乾燥装置の第２の実施例を示す断面図である。
【００４５】
この実施例は、基本的には、前述した第１の実施例と同様あるので、同じ構成部材には同じ参照番号を付してその詳細な説明を省略する。
この実施例の乾燥装置４０では、乾燥室４２内に二個のリール架台１０を、乾燥室４２内の加熱空気の循環方向に一定間隔離間して配置した点が相違する。
なお、この実施例では、これらリール架台１０を乾燥室４２内に２個設けたが、この数は、特に限定されるものではなく、複数個であれば、いずれも可能である。また、この際に、リール架台１０を前述した第２の実施例のような複数個のリールＲを載置可能なものとすることも可能である。
【００４６】
このようにすれば、リールＲに巻かれたＴＡＢテープＴをリール架台１０に載置して乾燥室４２内で、複数個、同時に均一に乾燥することができるので、さらに生産効率を向上することが可能となる。
以上、本発明の好ましい実施の態様を説明してきたが、本発明はこれに限定されることはなく、例えば、リール架台１０にリール載置部２６に載置された各リールＲについて、複数の開口部１６を設けることも可能であるなど、本発明の目的を逸脱しない範囲で種々の変更が可能である。
【００４７】
【発明の効果】
本発明によれば、乾燥室内で循環する加熱空気が、乾燥室内にて、乱流が生じずに、リールの部分と開口部を介してのみ循環することになり、均一にリールに巻かれたＴＡＢテープに接触して、ＴＡＢテープが均一に加熱され、乾燥される。従って、このような乾燥装置によれば、乾燥、硬化時間が短くてすみ、全体として工程時間の短縮化が可能で、効率が極めて良好となる。
【００４８】
また、このような乾燥装置を、例えば、エッチング工程、ソルダーレジスト塗布工程、メッキ処理工程などの種々の液処理工程後の乾燥、凝固に用いることによって、ＴＡＢテープを均一に乾燥することができ、ソルダーレジストの流れ出し、メッキ液の乾燥不良などによるＴＡＢテープの品質不良を防止することが可能となる。
【図面の簡単な説明】
【図１】図１は、本発明のＴＡＢテープの乾燥装置用リール架台の正面図である。
【図２】図２は、本発明のＴＡＢテープの乾燥装置用リール架台の側面図である。
【図３】図３は、本発明のＴＡＢテープの乾燥装置用リール架台の使用状態を説明する斜視図である。
【図４】図４は、本発明のＴＡＢテープの乾燥装置の断面図である。
【図５】図５は、本発明のＴＡＢテープの乾燥装置の部分切欠斜視図である。
【図６】図６は、本発明のＴＡＢテープの乾燥装置用リール架台の第２の実施例の斜視図である。
【図７】図７は、本発明のＴＡＢテープの乾燥装置用リール架台の使用状態を説明する斜視図である。
【図８】図８は、本発明のＴＡＢテープの乾燥装置用リール架台を用いた本発明のＴＡＢテープの乾燥装置の第２の実施例を示す断面図である。
【図９】図９は、従来のＴＡＢテープの乾燥装置を示す断面図である。
【図１０】図１０は、従来のＴＡＢテープの製造方法におけるソルダーレジストの流れだしを説明する概略図である。
【図１１】図１１は、従来のＴＡＢテープの製造方法におけるソルダーレジストのリード線間流れだした状態を説明する概略図である。
【図１２】図１２は、従来のＴＡＢテープの製造方法におけるソルダーレジストの剥がれた状態を説明する概略図である。
【図１３】図１３は、従来のＴＡＢテープの製造方法におけるリードのえぐり取られた状態を説明する概略図である。
【符号の説明】
１０  リール架台
１２  前方遮蔽壁部材
１４  後方遮蔽壁部材
１６  前方開口部
１８  後方開口部
２０  通風筒部
２２  支持棒部材
２４  中央当接板
２６  リール載置部
２８  リール載置台
３０  支持フレーム
３２  貫通部
４０  乾燥装置
４１  前部壁
４２  乾燥室
４４  隔壁
４６  駆動制御部
４８  給気配管
５０  排気管
５２  循環装置
５４  加熱装置
５６  通風孔
５８  吸気孔
６０  切替弁
６２  還流経路
６４  排出経路
Ｒ    リール
Ｔ    ＴＡＢテープ
【図１】
0003886675.tif 000002
【図２】
0003886675.tif 000003
【図３】
0003886675.tif 000004
【図４】
0003886675.tif 000005
【図５】
0003886675.tif 000006
【図６】
0003886675.tif 000007
【図７】
0003886675.tif 000008
【図８】
0003886675.tif 000009
【図９】
0003886675.tif 000010
【図１０】
0003886675.tif 000011
【図１１】
0003886675.tif 000012
【図１２】
0003886675.tif 000013
【図１３】
0003886675.tif 000014